【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
コアに絶縁体を介して巻かれた一次巻線と、該一次巻線に隣接しその一方側に配置された第１の二次巻線と、前記一次巻線に隣接しその他方側に配置された第２の二次巻線と、前記一次巻線用の一次入力端子と、前記第１の二次巻線用の二次高圧端子と、前記第２の二次巻線用の二次高圧端子と、前記第１と第２の二次巻線用のグランド端子とを備え、前記一次巻線を前記一次入力端子に接続し、前記第１の二次巻線の一端のリード線を前記第１の二次巻線用の二次高圧端子に接続し、前記第１の二次巻線の他端のリード線を前記第１の二次巻線用のグランド端子に接続し、前記第２の二次巻線の一端のリード線を前記第２の二次巻線用の二次高圧端子に接続し、前記第２の二次巻線の他端のリード線を前記第２の二次巻線用のグランド端子に接続し、前記各巻線の内側にコアを配置し、前記一次巻線の両側に配置した二次巻線で複数出力を構成したことを特徴とする巻線型トランス。
【請求項２】
前記第１及び第２の各二次巻線を複数本の重ねた線で並列に巻き、多出力を構成したことを特徴とする請求項１に記載の巻線型トランス。
【請求項３】
前記一次巻線とその両側の前記第１と第２の二次巻線とを前記コアの直線部分に配置したことを特徴とする請求項１又は請求項２に記載の巻線型トランス。
【請求項４】
前記第１と第２の二次巻線を前記一次巻線の上から絶縁体を介して重ねて巻いたことを特徴とする請求項１又は請求項２に記載の巻線型トランス。
【請求項５】
前記コアを垂直部分とこれの両端に直角方向に延びる一対の平行部分とで構成し、前記一対の平行部分の一方の平行部分に絶縁体を介して前記第１の二次巻線を配置し他方の平行部分に絶縁体を介して前記第２の二次巻線を配置し、前記第１と第２の二次巻線の中間に位置して前記一次巻線を配置したことを特徴とする請求項１又は請求項２に記載の巻線型トランス。
【請求項６】
前記一次巻線とその両側の前記第１と第２の二次巻線とをボビンを介して前記コアに配置し、該ボビンの一次巻線と該一次巻線に隣接する二次巻線との間に中間端子台を設け、該端子台に一次入力端子と二次グランド端子を設けるとともに、該ボビンの両端に二次高圧端子を設けたことを特徴とする請求項１に記載の巻線型トランス。
【請求項７】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に延びる第２の端子台を設け、それぞれの端子台の一方側に二次高圧端子を設け、それぞれの端子台の他方側に前記二次高圧端子に対して距離を存した位置に一次入力端子とグランド端子を設け、前記第１の二次巻線の前記第１の端子台側の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の前記第２の端子台側の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したことを特徴とする巻線型トランス。
【請求項８】
前記一次巻線の一端のリード線と前記二次巻線の外周面との間、前記第１の二次巻線の前記一次巻線と接する側の巻線の端部のリード線と前記二次巻線の外周面との間、前記一次巻線の他端のリード線と前記二次巻線の外周面との間、前記第２の二次巻線の前記一次巻線と接する側の巻線の端部のリード線と前記二次巻線の外周面との間に位置して細長状の絶縁体から成る遮蔽体を配置したことを特徴とする請求項７に記載の巻線型トランス。
【請求項９】
コアに絶縁体を介して巻かれた一次巻線と、該一次巻線に隣接しその一方側に配置された第１の二次巻線と、前記一次巻線に隣接しその他方側に配置された第２の二次巻線と、前記一次巻線用の一次入力端子と、前記第１の二次巻線用の二次高圧端子と、前記第２の二次巻線用の二次高圧端子と、前記第１と第２の二次巻線用のグランド端子とを備え、前記一次巻線を前記一次入力端子に接続し、前記第１の二次巻線の一端のリード線を前記第１の二次巻線用の二次高圧端子に接続し、前記第１の二次巻線の他端のリード線を前記第１の二次巻線用のグランド端子に接続し、前記第２の二次巻線の一端のリード線を前記第２の二次巻線用の二次高圧端子に接続し、前記第２の二次巻線の他端のリード線を前記第２の二次巻線用のグランド端子に接続し、前記各巻線の内側にコアを配置し、前記一次巻線の両側に配置した二次巻線で複数出力を構成し、前記巻線型トランスの一次巻線に共振コンデンサを接続して一次側共振回路を設け、前記一次巻線に、一次側共振電圧のフィードバック信号に基づいて一次側共振周波数で自励発振する自励発振回路を接続したことを特徴とする電源装置。
【請求項１０】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台の一方側に二次高圧端子を設け、それぞれの端子台の他方側に前記二次高圧端子に対して距離を存した位置に一次入力端子とグランド端子を設け、前記第１の二次巻線の前記第１の端子台側の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の前記第２の端子台側の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力型巻線型トランスを構成し、前記巻線型トランスの一次巻線に共振コンデンサを接続して一次側共振回路を設け、前記一次巻線に、一次側共振電圧のフィードバック信号に基づいて一次側共振周波数で自励発振する自励発振回路を接続したことを特徴とする電源装置。
【請求項１１】
第１と第２の２本の蛍光ランプのうち、第１の蛍光ランプの一方の電極を前記第１の二次巻線の二次高圧端子に接続し、第１の蛍光ランプに直列に第２の蛍光ランプを接続し、該第２の蛍光ランプを前記第２の二次巻線の二次高圧端子に接続したことを特徴とする請求項９又は請求項１０に記載の電源装置。
【手続補正２】
【補正対象書類名】明細書
【補正対象項目名】０００２
【補正方法】変更
【補正の内容】
【０００２】
従来、閉磁路を形成する一組のコアの少なくとも一方に、複数の中脚部と隔壁部及び外周壁部を形成し、前記各中脚部に同心状に別々の二次巻線を装着するとともに外周壁部の内側で前記全二次巻線を包含するように一次巻き線を装着することによって１つの１次巻線によって複数の二次巻線を同時に励磁するようにしたトランスが知られている（例えば特許文献１参照）。
また、従来、図１６に示すように、冷陰極型蛍光ランプ４６を巻線型トランスの出力で駆動する場合には、巻線型トランスＴの二次側の巻線の高圧端子にコンデンサを介して蛍光ランプ４６の一方の電極を接続し、蛍光ランプ４６の他方の電極を抵抗を介してアースに接続している。また、４本の蛍光ランプを駆動する場合には、図１７に示すように、蛍光ランプ４６，４６，４６，４６ごとに巻線型トランスＴ１，Ｔ２，Ｔ３，Ｔ４を用意し、２本の蛍光ランプ４６，４６を直列に接続し、この各一対の蛍光ランプの中、一方の蛍光ランプ４６，４６を対応する巻線トランスＴ１，Ｔ３の二次側高圧端子にバラストコンデンサを介して接続し、他方の蛍光ランプ４６，４６を対応する巻線トランスＴ２，Ｔ４の二次側高圧端子にバラストコンデンサを介して接続し、各巻線トランスＴ１，Ｔ２，Ｔ３，Ｔ４の二次側の他方の端子をアースに接続している。
【手続補正３】
【補正対象書類名】明細書
【補正対象項目名】０００６
【補正方法】変更
【補正の内容】
【０００６】
また本発明は、前記第１及び第２の各二次巻線を複数本の重ねた線で並列に巻き、多出力を構成したものである。
また本発明は、前記一次巻線とその両側の前記第１と第２の二次巻線とを前記コアの直線部分に配置したものである。
また本発明は、前記第１と第２の二次巻線を前記一次巻線の上から絶縁体を介して重ねて巻いたことを特徴とするものである。
また本発明は、前記コアを垂直部分とこれの両端に直角方向に延びる一対の平行部分とで構成し、前記一対の平行部分の一方の平行部分に絶縁体を介して前記第１の二次巻線を配置し他方の平行部分に絶縁体を介して前記第２の二次巻線を配置し、前記第１と第２の二次巻線の中間に位置して前記一次巻線を配置したものである。
また本発明は、前記一次巻線とその両側の前記第１と第２の二次巻線とをボビンを介して前記コアに配置し、該ボビンの一次巻線と該一次巻線に隣接する二次巻線との間に中間端子台を設け、該端子台に一次入力端子と二次グランド端子を設けるとともに、該ボビンの両端に二次高圧端子を設けたことを特徴とするものである。
【手続補正４】
【補正対象書類名】明細書
【補正対象項目名】００１８
【補正方法】変更
【補正の内容】
【００１８】
上記した１入力２出力巻線型出力トランス４４は、このトランスの一次側で直列あるいは並列共振回路を構成し、トランスの一次側に共振電圧を発生させる自励発振回路により駆動されることが望ましい。この場合、トランスの一次側に電源電圧より高い高電圧が発生することにより、二次側の巻線の量を少なくでき、結果として、従来の１入力１出力の巻線型トランスと同じ大きさで２出力を実現することができる。また、１入力２出力巻線型トランスは、トランスの中央部に一次コイルとコアによる発熱が集中するが、この発熱はトランスの中央部に発生するので、二次巻線との結合のバランスが良好な状態に保持され、トランスが効率的に動作する。従来の１入力１出力の巻線型トランスのように、発熱がトランスの片側に集中すると、一次巻線と二次巻線との結合にアンバランスが生じ効率化の妨げとなる。
【手続補正５】
【補正対象書類名】明細書
【補正対象項目名】００２８
【補正方法】変更
【補正の内容】
【００２８】
次に第８図を参照して巻線型トランスの他の実施形態について説明する。
図中、１３０はボビン（絶縁体）であり、コア１３２の平行部分の一方に嵌挿されている。コア１３２は２個のコ字状のコアが接合されてロの字状に構成されている。ボビン（絶縁体）１３０の両端には、それぞれ端子台１３４，１３６が取り付けられ、該端子台１３４，１３６のそれぞれに二次側高圧端子１３８，１４０、二次側グランド端子１４２，１４４、一次側入力端子１４６，１４８が設けられている。前記ボビン（絶縁体）１３０の中央には、一次巻線１５０が配置され、該一次巻線１５０の両端はリード線を介して、一次入力端子１４６，１４８に図示のように接続している。前記一次入力巻線１５０の両側には巻線間の沿面距離を確保するための絶縁耐圧用のパーティション１５２，１５４を介して、二次巻線１５６，１５８が配置されている。前記二次巻線１５６，１５８の巻き始め端は、リード線を介して、二次高圧端子１３８，１４０に図示の如く接続し、巻き終わり端は、それぞれリード線を介して、グランド端子１４２，１４４に図示の如く接続している。
【手続補正６】
【補正対象書類名】明細書
【補正対象項目名】００３０
【補正方法】変更
【補正の内容】
【００３０】
１８２はコアであり、２個のコ字状のコアが接合してロの字状のコアを構成している。コア１８２の平行部分の一方には、一次用ボビン（絶縁体）１８４が嵌挿配置されている。一次用ボビン（絶縁体）１８４の中央には、端子台１８６が固設され、該端子台１８６に一次入力端子１８８，１８９が設けられている。前記ボビン（絶縁体）１８４には、一次巻線１９２が装着され、該一次巻線１９２の両端はリード線を介して一次入力端子１８８，１８９に接続している。前記一次用ボビン（絶縁体）１８４の外側には、端子台１８６の両側に位置して、一対の二次用ボビン（絶縁体）１９０，１９４が嵌挿配置されている。二次用ボビン（絶縁体）１９２，１９４の各一端のパーティション１９６が、端子台１８６の両側面に当接している。図１０においては、二次用ボビン（絶縁体）１９０，１９４のパーティション１９６は、図面の複雑化を避けるため、図示省略してある。二次用ボビン（絶縁体）１９０，１９４には、二重にした２本の線ａ，ｂによって、二次巻線１９８，２００が巻かれている。二重線からなる二次巻線１９８，２００の巻き始め端は、リード線を介して、二次用ボビン（絶縁体）１９０，１９４の各々の端子台２０２，２０４に設けられた二次高圧端子２０６，２０８，２１０，２１２に接続し、巻き終わり端は、リード線を介して、グランド端子２１４，２１６，２１８，２２０に接続している。
【手続補正７】
【補正対象書類名】明細書
【補正対象項目名】００３４
【補正方法】変更
【補正の内容】
【００３４】
次に、一次巻線と二次巻線の二層構造を絶縁フィルムを用いて実現した実施形態について、図１４を参照して説明する。
２６２は一対のＥ型コアを対称的に向き合わせて接合したコアであり、これの内側部分にボビン２６４が装着され、、該ボビン２６４に一次巻線２６６が巻かれている。この一次巻線２６６の上には絶縁フィルム（図示省略）が被覆されている。この絶縁フィルムの上には、一次巻線２６６の左右両側に位置して、二次巻線２７０，２７２が巻かれている。各二次巻線２７０，２７２は、それぞれ４００〜１０００ターン巻かれ、互いに重なる部分には絶縁フィルム（図示省略）が配置されている。二次巻線２７０と２７２との間、及び、二次巻線２７０，２７２上にも適宜、絶縁耐圧用のパーティション（図示省略）が設けられている。一次巻線の両端は、コア２６２の両側に設けられた端子台２７４，２７６の一次入力端子２７８，２７９に接続している。二次巻線２７０，２７２の各々の一方は、二次グランド端子２８２，２８４にそれぞれ接続し、二次巻線２７０，２７２の各々の他方は、二次高圧端子２８６，２８８に接続している。